(57)【要約】【課題】紙容器を容易に開封し液体食品を滑らかに注出し、且つ再栓できるコストの安い紙容器の開封装置の技術に関する。【解決手段】開封装置６は内容液注出用の開口予定部５を囲って頂面２に固着される本体部７と、ヒンジ部８を介して本体部７を覆うキャップ９と、開口予定部５を開封する開封アーム１０で構成される。開封アーム１０は開封部１１とアーム１２から成り、開封部１１は円筒状の上端部に蓋部１１ａと下端部に開封刃１１ｂを備える。蓋部１１ａに幅Ｑ１、長さＨ１で形成された矩形凹部の底辺の中央部に幅Ｑ２でアーム１２の一端部１２ａが連結し、アーム１２の他端部１２ｂはヒンジ部８の中央部８ａに回転自在に連結する。折畳みリンク部１３は蓋部１１ａに備える矩形凹部Ｓとキャップ９に回転可能に固着され、折畳みリンク部１３は幅Ｑ３の矩形凹部Ｓに収納される。折畳みリンク部１３は１８０度に開いてロック部Ｐで固定される。【選択図】  図３
2012188156.tif 000002
【特許請求の範囲】
【請求項１】
紙基材を折り曲げて頂面と底面と複数の側面を形成して成る紙容器本体に備える紙容器の開封装置であって、前記開封装置は内容液注出用の開封予定部を囲って前記頂面に固着される本体部と、前記本体部にヒンジ部を介して開閉自在に覆うキャップと、前記開口予定部を開封する開封アームとから成り、前記開封アームは円筒状の開封部とアームが一体形成され、前記開封部の下端部に開封刃を備え、前記アームの一端部が前記開封部から突出して前記ヒンジ部に回転自在に連結する一方、前記アームの他端部が一対の折畳みリンク部を介して前記開封部に連結することを特徴とする紙容器の開封装置。
【請求項２】
請求項１に記載の紙容器の開封装置であって、前記開封部に凹状部を備え、この凹状部に前記アームの他端部が連結し、前記キャップが閉じた状態で前記一対の折畳みリンク部が前記アームの両側に沿って前記凹状部に収納されることを特徴とする紙容器の開封装置。
【請求項３】
請求項１又は請求項２に記載の紙容器の開封装置であって、前記折畳みリンク部は１８０度に開いた状態で位置固定するロック部を備えることを特徴とする紙容器の開封装置。
【請求項４】
請求項３に記載の紙容器の開封装置であって、前記ロック部は凹部と凸部から成ることを特徴とする紙容器の開封装置。
【請求項５】
請求項１乃至請求項４のいずれか一項に記載の紙容器の開封装置であって、前記開封装置は射出成型樹脂製であることを特徴とする紙容器の開封装置。
【発明の詳細な説明】
【技術分野】
【０００１】
本発明は液体食品を充填した紙容器の開封装置に関し、詳しくは紙容器を容易に開封して液体食品を滑らかに注出し、且つ再栓できるコストの安い開封装置に関する。
【背景技術】
【０００２】
従来、紙容器を開封して内容液を注出するための開封装置に関する技術として特許文献１に掲載の内容が知られている。
【０００３】
上記文献に示すように、開封装置２１は、封止用フィルム２４で閉塞された紙容器の頂面２２の開口予定部２２Ａの周縁部に沿ってベース部２５が接着され、このベース部２５にリテーナ２６が内螺合され、リテーナ２６の上部にスクリューキャップ２７が外螺合される。リテーナ２６の下端には封止用フィルム２４を突き破るための尖端部２６Ｃが形成され、リテーナ２６とスクリューキャップ２７は溶着部２８にてスポット溶接される。スクリューキャップ２７を取り外す方向Ｆに回転すると、キャップ２７とリテーナ２６が一体となりベース部２５内を下降して封止用フィルム２４を破り、さらに溶着部２８を破断してキャップ２７が外れる。紙容器はキャップ２７で再栓できる。
【先行技術文献】
【特許文献】
【０００４】
【特許文献１】特開平１１−３４９０２４号公報
【発明の概要】
【発明が解決しようとする課題】
【０００５】
ところが、上記文献に示すように、尖端部２６Ｃが頂面２２から紙容器の内部に突出するので、紙容器を傾けて内容液を注出する際に尖端部２６Ｃで内容液の流れが止められて確実に注出するのが困難であるという問題があった。また、螺合構造なのでコストが高いという問題があった。そこで、本発明はかかる従来技術の問題に鑑みなされたものであって、簡単な構造でコストが安くて内容液を滑らかに注出し、且つ再栓できるコストの安い紙容器の開封装置を提供することを目的とする。
【課題を解決するための手段】
【０００６】
請求項１の発明は、紙基材を折り曲げて頂面と底面と複数の側面を形成して成る紙容器本体に備える紙容器の開封装置であって、前記開封装置は内容液注出用の開封予定部を囲って前記頂面に固着される本体部と、前記本体部にヒンジ部を介して開閉自在に覆うキャップと、前記開口予定部を開封する開封アームとから成り、前記開封アームは円筒状の開封部とアームが一体形成され、前記開封部の下端部に開封刃を備え、前記アームの一端部が前記開封部から突出して前記ヒンジ部に回転自在に連結する一方、前記アームの他端部が一対の折畳みリンク部を介して前記開封部に連結することを特徴としている。
【０００７】
請求項２の発明は、請求項１に記載の紙容器の開封装置であって、前記開封部に凹状部を備え、この凹状部に前記アームの他端部が連結し、前記キャップが閉じた状態で前記一対の折畳みリンク部が前記アームの両側に沿って前記凹状部に収納されることを特徴としている。
【０００８】
請求項３の発明は、請求項１又は請求項２に記載の紙容器の開封装置であって、前記折畳みリンク部は１８０度に開いた状態で位置固定するロック部を備えることを特徴としている。
【０００９】
請求項４の発明は、請求項３に記載の紙容器の開封装置であって、前記ロック部は凹部と凸部から成ることを特徴としている。
【００１０】
請求項５の発明は、請求項１乃至請求項４のいずれか一項に記載の紙容器の開封装置であって、前記開封装置は射出成型樹脂製であることを特徴としている。
【発明の効果】
【００１１】
請求項１の発明は、前記開封装置は内容液注出用の開封予定部を囲って前記頂面に固着される本体部と、前記本体部にヒンジ部を介して開閉自在に覆うキャップと、前記開口予定部を開封する開封アームとから成り、前記開封アームは円筒状の開封部とアームが一体形成され、前記開封部の下端部に開封刃を備える。このため、本体部とキャップによって開封アームが覆われるので紙容器の搬送途中で開封アームを損傷することなく衛生的に保護できて、前記開口予定部を確実且つ容易に開口して内容液をスムーズに注出できる。
【００１２】
さらに、前記アームの一端部が前記開封部から突出して前記ヒンジ部に回転自在に連結する一方、前記アームの他端部が一対の折畳みリンク部を介して前記開封部に連結する。このように、前記開封装置は簡単な構造であるため製作コストが安価で紙容器の価値が高まる。そして、キャップを開放する動作で自動的に折畳みリンク部が広がり、この状態でキャップを押込むことで開封部が前記開口予定部を容易確実に開封することができるので操作性に優れる。
【００１３】
請求項２の発明によれば、前記開封部に凹状部を備え、この凹状部に前記アームの他端部が連結し、前記キャップが閉じた状態で前記一対の折畳みリンク部が前記アームの両側に沿って前記凹状部に折畳んだ状態で収納されるため、前記開封装置が嵩張らないので紙容器の外観性が向上すると同時に搬送時のダメージ発生を防止できる。
【００１４】
請求項３の発明によれば、前記折畳みリンク部は１８０度に開いた状態で位置固定するロック部を備えるので、キャップを開放する動作で自動的に折畳みリンク部を広げた状態に固定できる。このため、キャップを押込む動作に連動して折畳みリンク部によって開封部を前記開口予定部に安定して押込んで確実に開封することができる。
【００１５】
請求項４の発明によれば、前記ロック部は凹部と凸部から成るので製作容易で製作コストが掛からず安価である。
【００１６】
請求項５の発明によれば、前記開封装置は射出成型樹脂製なので、機械加工が不要なので容易且つ安価に製造できてコスト低減できる。
【図面の簡単な説明】
【００１７】
【図１】本発明の第一の実施形態における、外観が直方体形状の紙容器本体１ａの頂面２の開口予定部５を覆って開封装置６を取付けた状態を示す紙容器１の斜視図である。
【図２】本発明の第一の実施形態における、図１のＡ−Ａ透視図で、開封装置６の水平視形状を示す図である。
【図３】本発明の第一の実施形態における、開封装置６のキャップ９を開く過程における斜視図である。
【図４】本発明の第一の実施形態における、紙容器本体１ａを形成する帯状包材１５の展開平面図である。
【図５】本発明の第一の実施形態における、図４のＢ−Ｂ断面図で、開口予定部５の状態を示す図である。
【図６】本発明の第一の実施形態における、紙容器１を開封するため開封装置６のキャップ９を開いて、折畳みリンク部１３の凹部Ｐ１と凸部Ｐ２から成るロック部Ｐが嵌合した状態を示す斜視図である。
【図７】本発明の第一の実施形態における、キャップ９を押し込んで開口予定部５を開口した状態を示す斜視図である。
【図８】本発明の第一の実施形態における、キャップ９を開いて開封部１１を開口部５ａから離した状態を示す斜視図である。
【図９】本発明の第二の実施形態における、開封装置６のキャップ９を開く過程における斜視図である。
【発明を実施するための最良の形態】
【００１８】
＜本発明の第一の実施形態＞
以下に、本発明の第一の実施形態を図１〜図８に基づいて説明する。
＜紙容器の開封装置の構成＞
【００１９】
図１に示すように、紙容器１は紙基材を折り曲げて矩形の頂面２と底面３と四側面４（正面４ａ、裏面４ｂ、側面４ｃ、側面４ｄ）で外観が直方体の紙容器本体１ａか形成される。頂面２にジュース等の内容液を注出するための円形の開口予定部５が形成され、この開口予定部５を覆って射出成型樹脂製の開封装置６を取付ける。
【００２０】
図２、図３に示すように、開封装置６は内容液注出用の開口予定部５を囲って頂面２に熱圧着で固着される本体部７と、ヒンジ部８を介して開閉自在に本体部７を覆うキャップ９と、開口予定部５を開封する開封アーム１０とで構成される。開封装置６の平面視外縁形状はキャップ９を本体部７に閉じた状態でＵ字形の開放端を直線で連結して成る形状である。
【００２１】
開封アーム１０は円筒状の開封部１１とアーム１２で上面が同一面と成るように一体形成され、開封部１１は円筒状で上端部に蓋部１１ａを備え下端部に鋸刃状の開封刃１１ｂを備える。より詳しくは、開封部１１は水平視対称形で蓋部１１ａに矩形凹部が幅Ｑ１、長さＨ１で形成され、この矩形凹部の底辺の中央部に幅Ｑ２のアーム１２の一端部１２ａが連結し、アーム１２の他端部１２ｂは開封部１１より突出してヒンジ部８の中央部８ａに回転自在に連結する。
【００２２】
そして、蓋部１１ａはアーム１２の両側に幅Ｑ３で矩形凹部Ｓを備え、各矩形凹部Ｓに折畳みリンク部１３が折畳んだ状態で収納される。折畳みリンク部１３は一対の断面矩形の長尺棒の一端部がピンヒンジされて成り、この折畳みリンク部１３の両先端部１３ａ、１３ｂが開封部１１の矩形凹部Ｓの奥部とキャップ９の裏面にそれぞれ回転可能に固着される。この折畳みリンク部１３は１８０度に開いた状態で凹部Ｐ１と凸部Ｐ２から成るロック部Ｐが嵌合して確実に固定できる。
【００２３】
なお、開封部１１の外径と開口予定部５の直径は同じ大きさで、開封部１１の中心を開口予定部５の中心に合わせた状態で開封装置６のベース部７が頂面２に固着される。
【００２４】
図４に示すように、紙容器本体１ａを成型する帯状の包材１５には成型容易とするための複数の折り目が形成される。より詳しくは、紙容器一個分に該当する領域Ｋにおいて、縦方向の折り目１６ａ、１６ｂ、１６ｃ、１６ｄ、横方向の折り目１７ａ、１７ｂ、１７ｃ、１７ｄ、斜め方向の８本の折り目１８が形成される。上記、紙容器本体１ａの頂面２に内容液を注ぐための円形の開口予定部５が形成される。
【００２５】
図５に示すように、包材１５の構成は、外側から内側にかけて順に、外側層１５ａ、紙基材１５ｂ、接着層１５ｃ、バリヤー層１５ｄ、二層の内側層１５ｅから成り、紙基材１５ｂの外側面にデザイン等１５ｆが予め印刷される。外側層１５ａ、内側層１５ｅは低密度ポリエチレン樹脂、接着層１５ｃはポリエチレン或いはエチレン共重合体等の樹脂、バリヤー層１５ｄはアルミ箔等で形成される。開口予定部５は開口容易とするために紙基材１５ｂが直径Ｄの円形状に切り抜かれる。
【００２６】
「開封装置付き紙容器の製造工程の説明」
図示しない充填機において、帯状包材１５を下方に搬送しながら両端部を重ねて筒状に縦線シールして内容液を充填した後に、横線シールして紙容器一個分に該当する領域Ｋを切離して原型容器を形成する。
【００２７】
そして、縦方向の折り目１６ａ、１６ｂ、１６ｃ、１６ｄ、横方向の折り目１７ａ、１７ｂ、１７ｃ、１７ｄ、及び斜め方向の複数の折り目１８を折り曲げて、矩形の頂面２と底面３と四側面４から成る外観直方体形状の紙容器本体１ａが連続形成される。開封装置６を紙容器本体１ａの頂面２に取付ける方法は、図示しない装置でベース部７の底面をマイクロフレーム等で溶融して固着する。
【００２８】
＜紙容器の開封装置の作用＞
図６に示すように、キャップ９の先端に備える引上げ部９ａを指で持上げてキャップ９をヒンジ部８の回りに回転して開く。このキャップ９を開放する動作に連動して折畳みリンク部１３が自動的に広がり１８０度に開いた状態で凹部Ｐ１と凸部Ｐ２から成るロック部Ｐが嵌合して確実に固定できる。ここで、開封部１１はアーム１２を介してヒンジ部８に回転自在に連結するが、図示しない突起やスポット溶着等で開封部１１が本体部７に簡易固着するので開封部１１は持ち上がらない。
【００２９】
図７に示すように、引上げ部９ａ又はキャップ９を押込むと、上記図示しない突起やスポット溶着等が破断するので１８０度に固定された折畳みリンク部１３に連動して、開封部１１が本体部７から離脱して下降し開口予定部５に押込まれる。ここで、開封部１１は円筒状の下端部に鋸刃状の開封刃１１ｂが形成されるので開口予定部５は容易に破断して注出口が形成される。このように、開封装置６は螺合部のない簡単な構造であるため製作コストが安価となり紙容器の価値が高まる。
【００３０】
図８に示すように、開口予定部５を破断した後に、キャップ９を引上げて開封部１１が注出口５ａから十分離れる状態の位置で、キャップ９が図示しない突起等で本体部７に固定するので、紙容器を傾けて注出口５ａから内容液を滑らかに注出することができる。ここで、鋸刃状の開封刃１１ｂは全周ではなくアーム１２近傍には形成されないので、開口予定部５は円周の一部分が破断せず頂面２に連結した状態で残るので紙容器の内部に開口片が落下せず開口片の誤飲を防止することができる。所望の内容液を注出した後に、キャップ９を押込んで開封部１１を開口部５ａに挿入して再栓すると内容液の注出を中断することができるので利便性に優れ衛生性が向上する。
【００３１】
この開封装置６であれば、簡単な構造で紙容器の開封・再栓が可能になる。開封部１１が注出口５ａの外部に出るので内容液を滑らかに注出できる。折畳みリンク部１３が一対の凹部Ｓに格納されるので、開封装置６が嵩張らないので紙容器の外観性が向上すると同時に紙容器が搬送途中で損傷することがない。
＜本発明の第二の実施形態＞
【００３２】
本発明の第二の実施形態を図９に基づいて説明するが、図２、図３と同様の構成に関しては同符号を用いて重複する説明を省く。
【００３３】
図９に示すように、開封装置６の開封部１１は蓋部１１ａに矩形凹部が形成されず、アーム１２の一端部１２ａが開封部１１の外縁部１１ｃに固着する。そして、一対の折畳みリンク部１３の一方の先端部１３ａは蓋部１１ａの上面に連結する。
【００３４】
このため、蓋部１１ａは本発明の第一の実施形態に比べると若干嵩高くなるが、蓋部１１ａに矩形凹部を備えないので射出成型性が向上する。
【００３５】
以上、本発明の実施例を図面に基づいて説明したが、具体的な構成はこの実施例に限られるものではなく本発明の要旨を逸脱しない範囲の設計変更等があっても本発明に含まれる。
【００３６】
たとえば、開封装置６は一体射出成型でなく部分的に組付成型することもできる。開封部１１の鋸刃状の開封刃１１ｂは全周３６０度で形成してもよい。開封装置６は、底面と複数の側面で形成される各原型容器に順次内容液を充填した後で頂面を屋根状に密封形成する方法の屋根型紙容器等に対しても適用することができる。
【符号の説明】
【００３７】
２  頂面
５  開口予定部
６  開封装置
７  本体部
８  ヒンジ部
８ａ  中央部
１０  開封アーム
１１  開封部
１１ａ  蓋部
１１ｂ  開封刃
１２  アーム
１２ａ  一端部
１２ｂ  他端部
１３  折畳みリンク部
Ｈ１  長さ
Ｐ  ロック部
Ｑ１  幅
Ｑ２  幅 
Ｑ３  幅
Ｓ  矩形凹部
【図１】
2012188156.tif 000003
【図２】
2012188156.tif 000004
【図３】
2012188156.tif 000005
【図４】
2012188156.tif 000006
【図５】
2012188156.tif 000007
【図６】
2012188156.tif 000008
【図７】
2012188156.tif 000009
【図８】
2012188156.tif 000010
【図９】
2012188156.tif 000011